(57)【要約】      （修正有）【課題】水稲育苗箱内において、苗の根張り、コスト、重労働作業を軽減させ苗の育成にもよい水稲育苗における保水・保肥に関する育苗資材の積層構造を提供する。【解決手段】適宜な縦・横・深さ寸法を有し、無蓋で、底部には小穴を複数形成した箱本体１を設け、該箱本体１の底面には、保水部材２を敷設し、該保水部材２の上に、育苗箱の容積の１／２程度の床土３を敷設し、該床土３の上面には、種籾４を播種し、播種された種籾４を、その上部から覆土５を被せてなることを特徴とする水稲育苗における保水・保肥に関する育苗資材の積層構造。保水部材２を構成する高吸水性のアクリル重合体が水と接触すると、速やかにこれを吸水し、多少の圧力では水を放出せず、箱底でアクリル系ポリマーによる膜を張り、灌水時においても水及び肥料分の箱外流出を大幅に抑制する等の効果を有する。【選択図】図１
0003193812.tif 000002
【実用新案登録請求の範囲】
【請求項１】
適宜な縦・横・深さ寸法を有し、上部を開口し、底部には小穴を複数形成した箱本体（１）を設け、
該箱本体（１）の底面には、保水部材（２）を敷設し、
該保水部材（２）の上に、箱本体（１）の容積の１／２程度の床土（３）を敷設し、
該床土（３）には、種籾（４）を播種し、
播種された種籾（４）の上部に、覆土（５）を被せてなる
ことを特徴とする水稲育苗における保水・保肥に関する育苗資材の積層構造。
【考案の詳細な説明】
【技術分野】
【０００１】
この考案は、水稲育苗における保水・保肥に関する育苗資材の積層構造に関するものである。
【背景技術】
【０００２】
従来の水稲育苗法は、肥料が混じった床土を丸穴の空いた育苗箱（270mm × 570mm×30mm）に入れ、そこに種籾（１５０ｇ前後）播種し、更に覆土、灌水を加えて２０〜２５日を要して稚苗に生育させて水田に移植する。
【０００３】
しかし、この方法には以下の問題があった。
その一は、育苗箱の容積そのものが狭小、且つ、床土量も少なく、従って、期間中の必要保水量・保肥量の維持に難点があること。
【０００４】
その二は、灌水時に水は上から下へと移行し、最終的には底穴から箱外へ流出し、同時に床土に含まれている肥料成分も連動して箱外に流亡してしまう。
【０００５】
その三は、一、二の現象により結果として、根量及び草丈も十分に伸張せず田植え時の初期活着の活力も弱含み傾向である。
【０００６】
その四は、市販床土の重量は、１袋２０ｋｇが一般的であり、これを育苗箱に分散した場合、１箱の床土重量は４ｋｇ程度で、更に移植直前の重量は育苗中の灌水量も加わり、実質は７ｋｇ程度まで増量するため、高齢者及び女性には負担の大きい作業と言わざるを得ないものであった。
【０００７】
尚、上記に鑑み、育苗箱を使用しない種籾埋込育苗マットは存在している。例えば、特許文献１のように。
【先行技術文献】
【特許文献】
【０００８】
【特許文献１】特開２００４−９７０７４号公報
【考案の概要】
【考案が解決しようとする課題】
【０００９】
そこで、この考案の課題は、育苗箱内において、苗の根張り、コスト、重労働作業を軽減させることのできる水稲育苗における保水・保肥に関する育苗資材の積層構造を開発・提供することにある。
【課題を解決するための手段】
【００１０】
この考案の水稲育苗における育苗資材の積層構造は、
適宜な縦・横・深さ寸法を有し、上部を開口し、底部には小穴を複数形成した箱本体を設け、
該箱本体の底面には、保水紙を敷設し、
該保水紙の上に、育苗箱の容積の１／２程度の床土を敷設し、
該床土には、種籾を播種し、
播種された種籾の上部に、覆土を被せた
ことを特徴とする。
【考案の効果】
【００１１】
この考案によると、箱本体の底部に保水紙を敷設することにより、保水部材を構成する高吸水性のアクリル重合体が水と接触すると、速やかにこれを吸水し、多少の圧力では水を放出せず、箱底でアクリル系ポリマーによる膜を張り、灌水時においても水及び肥料分の箱外流出を大幅に抑制する等の効果を有する等の極めて有益なる効果を奏する。
【００１２】
また、この水、肥料の流出が大幅に抑制できることにより、床土量、肥料分も従来比でそれぞれ半減量（−５０％減、覆土量は慣行）で育苗は十分可能であり、従来の床土量コストの半減、運搬労力の激減が図れ、さらに、根張りが向上する等の極めて有益なる効果を奏するものである。
【図面の簡単な説明】
【００１３】
【図１】この考案の一実施例を示す断面図である。
【図２】この考案に使用する保水紙の一実施例を示す斜視図である。
【図３】この考案に使用する箱本体の一実施例を示す斜視図である。
【考案を実施するための形態】
【００１４】
以下、この考案について詳細に説明する。尚、この考案においては、以下の記述に限定されるものではなく、この考案の要旨を逸脱しない範囲においては適宜変更可能である。
【実施例】
【００１５】
先ず、この考案の一実施例を図面に基づいて詳述すると、適宜な縦・横・深さ寸法を有し、上部を開口し底部には小穴を複数形成した箱本体（１）を設け、該箱本体（１）の底面には、保水部材（２）を敷設し、該保水部材（２）の上に、育苗箱の容積の１／２程度の床土（３）を敷設し、該床土（３）には、種籾（４）を播種し、播種された種籾（４）の上部に覆土（５）を被せてなることを特徴とする水稲育苗における保水・保肥に関する育苗資材の積層構造から構成される。
【００１６】
尚、箱本体（１）は、既存の水稲用育苗箱を利用してよく、箱本体（１）の寸法は、その一例としては、幅５７０ｍｍ、奥行き２７０ｍｍ、高さ３０ｍｍ程度を基準とする。
【００１７】
そして、前記保水部材（２）は、その一例を述べると、紙片（横５７０ｍｍ、縦２７０ｍｍ）２枚を重ね、この紙片の間に、粉末状の高吸水性のアクリル系ポリマー７ｇを播き、サンドイッチ状にして両紙片をカシメて構成し、これら紙片に一定間隔を隔てて、通穴（２ａ）を設けたものであり、高吸水性のアクリル系ポリマーは、水と接触すると速やかに水分を吸収し、少しの圧力ではこの水分を排出することはないものであり、紙片は高吸水性のアクリル系ポリマーと剥がれ、水稲の根の発育により細かく分断されやがて無くなるものである。
【００１８】
また、床土（３）は、肥料成分を含んでおり、保水部材（２）の性質を利用すれば箱底にアクリル系ポリマーによる膜状を形成し、灌水時においても水及び肥料分の箱外への流出を大幅に抑制するものである。
【００１９】
尚、箱本体（１）内に使用する覆土（５）の量は、慣行量に準じるものである。
【００２０】
次に、下記の〔表１〕は、流出肥料の数値を測定した表であり、該表〕に基づいて説明すると、区分は、この考案の実施例（本考案区と称す）と、比較例（対照区と称す）を示したものであり、これらの数値（流出濃度ｐｐｍ）は、それぞれ灌水終了２０分後の流出水より検出したものである。
【００２１】
【表１】
0003193812.tif 000003
【００２２】
また、灌水量は、それぞれ１回分が１リットル（但し、灌水日は毎日実施）であり、採集水日は、１日目、１０日目、１５日目、そして２０日目の４回行なったものである。
従って、４回分の灌水量は本考案区、対照区ともに、４０００ｃｃであり、流出水量は本考案区は１，１５０ｃｃ、対照区は１，６１０ｃｃであった。
【００２３】
次に、〔表１〕に基づいて、肥料の三大要素である窒素（Ｎ）、リン酸（Ｐ）、カリ（Ｋ）について、この考案である本考案区と、比較例である対照区との流出肥料の数値を比べると、窒素（Ｎ）は、２０日目の測定で、本考案のものが、１．１に対して比較例では０．２であり、リン酸（Ｐ）については、２０日目の測定で、本考案のものが、０．９に対して比較例では０．３であり、カリウム（Ｋ）に対しては、２０日目の測定で、本考案のものが、２．８に対して比較例では２．２であった。これにより、本考案では肥料の三大要素である窒素（Ｎ）、リン酸（Ｐ）、カリ（Ｋ）のすべてにおいて、比較例に勝ったものであり、肥料の流出が少ないことが判明した。
【産業上の利用可能性】
【００２４】
この考案の水稲育苗における保水・保肥に関する育苗資材の積層構造の技術を確立し、実施することにより、産業上利用できるものである。
【符号の説明】
【００２５】
１  箱本体
２  保水部材
３  床土
４  種籾
５  覆土
【図１】
0003193812.tif 000004
【図２】
0003193812.tif 000005
【図３】
0003193812.tif 000006